(57)【要約】【課題】ブランクの面積が大きくなることなく、組立状態を維持できる紙製緩衝材を提供する。【解決手段】外箱１の底より小さい底壁１１と、該底壁１１の対向する一対の側辺に連設され両端に係止部１６を設けた側壁１３Ａ，１３Ｂと、底壁１１の対向する一対の端辺に連設される端壁２１Ａ，２１Ｂとを備え、端壁２１Ａ，２１Ｂは、底壁１１に連続し、両端を側壁１３Ａ，１３Ｂより突出させて係止部１６が係止する係止受部２５を設けるとともに、略中央に係止穴２６を設けた第１壁部２２と、該第１壁部２２の上端両側に連設される一対の第２壁部２８と、一対の第２壁部２８の外端に連設される略凹字形状の第３壁部３０と、第３壁部３０の略凹字形状の底縁３０ａに連設され、第１壁部２２の係止穴２６に挿入係止する係止爪３６を設けた支持壁部３２とを備えた構成とする。【選択図】  図１
2005008208.tif 000002
【特許請求の範囲】
【請求項１】
矩形状の外箱内に配置して収容する商品を支持するための紙製緩衝材において、
前記外箱の底より小さい底壁と、該底壁の対向する一対の側辺に連設され両端に係止部を設けた側壁と、前記底壁の対向する一対の端辺に連設される端壁とを備え、
前記端壁は、
前記底壁に連続し、両端を前記側壁より突出させて前記係止部が係止する係止受部を設けるとともに、略中央に係止穴を設けた第１壁部と、
該第１壁部の上端両側に連設される一対の第２壁部と、
一対の第２壁部の外端に連設される略凹字形状の第３壁部と、
前記第３壁部の略凹字形状の底縁に連設され、前記第１壁部の係止穴に挿入係止する係止爪を設けた支持壁部と
を備えたことを特徴とする紙製緩衝材。
【請求項２】
前記側壁における係止部の上側縁と、前記端壁の第１壁部における係止受部の下端外側を連続させる連続部を設けたことを特徴とする請求項１に記載の紙製緩衝材。
【請求項３】
前記支持壁部は、前記第３壁部に連続する第１支持部と、前記第１壁部の上端中央に連続する第２支持部とからなり、該第２支持部を切り抜いて前記係止爪を形成したものであることを特徴とする請求項１または請求項２に記載の紙製緩衝材。
【請求項４】
前記端壁における第３壁部の下端を、前記底壁より下方に突出させるとともに、前記側壁に、前記第３壁部の下端と略同一高さまで突出する第１突出部を設けたことを特徴とする請求項１乃至請求項３のいずれか１項に記載の紙製緩衝材。
【請求項５】
前記端壁における第３壁部の下端を、前記底壁より下方に突出させるとともに、前記端壁の第１壁部に、前記第３壁部の下端と略同一高さまで突出する第２突出部を設けたことを特徴とする請求項１乃至請求項４のいずれか１項に記載の紙製緩衝材。
【発明の詳細な説明】
【０００１】
【発明の属する技術分野】
本発明は、精密機器などの商品を外箱に梱包する際に使用する紙製緩衝材に関するものである。
【０００２】
【従来の技術】
この種の紙製緩衝材は、底壁の四辺から側壁および端壁を突設した一枚のブランクからなり、底壁に対して各壁を折り曲げた状態で、梱包用の外箱の内部に配置される。そして、４つの壁により囲繞された内部に商品を配置することにより、この商品を外箱の各壁と所定間隔をもった位置に支持し、搬送時の衝撃が商品に直接的に加わることを防止するように構成している。
【０００３】
この緩衝材としては、前記側壁と端壁とに係止構造を設けずに、外箱内に配置することにより組立状態を維持する簡易タイプと、側壁と端壁との係止構造を設け、外箱に収容することなく組立状態を維持できるようにした組込タイプとを有する。
【０００４】
そのうち、前記組込タイプの緩衝材の係止構造としては、側壁の両側に上端から下向きに延びる第１係合溝を設けるとともに、端壁の先端に前記第１係合溝と噛み合わせるように係合させる第２係合溝を設け、この端壁を略逆Ｕ字形状に折り曲げて第２係合溝を第１係合溝に係合させることにより、組立状態を維持できるようにしたものが提供されている。
【０００５】
【発明が解決しようとする課題】
しかしながら、前記紙製緩衝材のうち簡易タイプのものは、係止構造を設けていないためブランクの面積が小さく、コストダウンを図ることができるが、組立状態を維持できないため、所謂作り貯めができず、外箱内に配置する作業性が悪いという問題がある。また、組込タイプのものは、略逆Ｕ字形状に巻き込むようにして係合させるため、ブランクの面積が大きくなり、コスト高になるという問題がある。
【０００６】
そこで、本発明では、ブランクの面積が大きくなることなく、組立状態を維持できる紙製緩衝材を提供することを課題とするものである。
【０００７】
【課題を解決するための手段】
前記課題を解決するため、本発明の紙製緩衝材は、矩形状の外箱内に配置して収容する商品を支持するための紙製緩衝材において、前記外箱の底より小さい底壁と、該底壁の対向する一対の側辺に連設され両端に係止部を設けた側壁と、前記底壁の対向する一対の端辺に連設される端壁とを備え、前記端壁は、前記底壁に連続し、両端を前記側壁より突出させて前記係止部が係止する係止受部を設けるとともに、略中央に係止穴を設けた第１壁部と、該第１壁部の上端両側に連設される一対の第２壁部と、一対の第２壁部の外端に連設される略凹字形状の第３壁部と、前記第３壁部の略凹字形状の底縁に連設され、前記第１壁部の係止穴に挿入係止する係止爪を設けた支持壁部とを備えた構成としている。
【０００８】
この緩衝材によれば、側壁および端壁に係止構造を設け、作り貯めできるようにしているため、商品の梱包時の作業性を向上することができる。また、その係止構造は、従来のように、端壁を略Ｕ字形状に巻き込むように折り曲げて係止するものではないため、ブランクの面積も大きくはなく、係止構造を設けていない簡易タイプのものと略同一とすることができる。そのため、コスト高になることを防止できる。
【０００９】
この紙製緩衝材では、前記側壁における係止部の上側縁と、前記端壁の第１壁部における係止受部の下端外側を連続させる連続部を設けることが好ましい。このようにすれば、組立時に側壁を底壁に対して折り曲げることにより、端壁を連動させて起き上げることができるため、組立作業性を向上できる。
【００１０】
また、前記支持壁部は、前記第３壁部に連続する第１支持部と、前記第１壁部の上端中央に連続する第２支持部とからなり、該第２支持部を切り抜いて前記係止爪を形成したものであることが好ましい。このようにすれば、組立時に第１支持部と第２支持部とを折り曲げるだけで、係止穴に係止爪を位置させることができるため、組立作業性を更に向上することができる。
【００１１】
さらに、前記端壁における第３壁部の下端を、前記底壁より下方に突出させるとともに、前記側壁に、前記第３壁部の下端と略同一高さまで突出する第１突出部を設けることが好ましい。このようにすれば、側壁と端壁とで囲繞された内部に収容した商品に衝撃が直接加わることを確実に防止できる。
【００１２】
さらにまた、前記端壁における第３壁部の下端を、前記底壁より下方に突出させるとともに、前記端壁の第１壁部に、前記第３壁部の下端と略同一高さまで突出する第２突出部を設けることが好ましい。このようにすれば、収容した商品に衝撃が直接加わることを更に確実に防止できる。
【００１３】
【発明の実施の形態】
以下、本発明の実施の形態を図面に従って説明する。
図１から図４は、本発明の実施形態に係る緩衝材１０を示す。この緩衝材１０は、略矩形状をなす外箱１の内部に配設するもので、紙器打抜装置（図示せず）によって段ボール紙を図４に示す連続した一枚の展開状態で打ち抜き、そのブランクを所定位置で折り曲げることにより形成される。ここで、前記段ボール紙は、一対の表紙および裏紙の間に波状の中しんを配設したものである。また、外箱１は、図示では蓋を別体とした上端開口のものを適用しているが、蓋を一体に形成したものなど、種々の変更が可能である。
【００１４】
ブランクは、図４に示すように、大略、底壁１１と、該底壁１１の対向する一対の側辺に連設された側壁１３Ａ，１３Ｂと、前記底壁１１の対向する一対の端辺に連設される端壁２１Ａ，２１Ｂとを備えている。
【００１５】
前記底壁１１は、前記外箱１の底より小さく、収容する商品より若干大きい矩形状をなし、その四辺の各中央には３つの切断線１２が設けられる。この切断線１２は、後述する側壁１３Ａ，１３Ｂおよび第１壁部２２に略台形状の突出部１５，２４を形成するためのものである。また、切断線１２において、対称に位置する二辺は、側壁１３Ａ，１３Ｂの内部まで延びるように設けられている。
【００１６】
前記側壁１３Ａ，１３Ｂは、前記底壁１１における長辺に連続するもので、前記切断線１２の間を除く境界部分には、段ボール紙に罫を入れて形成した折曲線１４ａと、該折曲線１４ａに沿って所定間隔をもってミシン目状に切断部１４ｂを設けたリード罫１４が設けられている。このように構成した側壁１３Ａ，１３Ｂは、前記リード罫１４に沿って折り曲げると、前記切断線１２により囲まれた台形状部分が前記底壁１１より下向きに突出する。そして、この第１突出部１５は、その先端が後述する端壁２１における第３壁部３０の下端と同一高さになるように設定されている。
【００１７】
前記側壁１３Ａ，１３Ｂの両端下部には、外向きに突出する係止部１６が設けられている。この係止部１６は、端部から上向きに傾斜する斜部１６ａと、下向きに切り欠いた係止溝部１６ｂとを備えた形状をなす。また、前記側壁１３Ａ，１３Ｂにおける係止部１６の上側縁には、後述する端壁２１の第１壁部２２と連続させる連続部１７が連設されている。この連続部１７と側壁１３Ａ，１３Ｂとの境界部分には、罫を入れて形成した垂直方向に延びる折曲線１８が設けられている。また、連続部１７と第１壁部２２との境界部分には、４５度の傾斜角で延びる折曲線１９が設けられている。なお、この連続部１７と前記係止部１６とは、該係止部１６の形状に沿った所定幅のスリット２０によって区画されている。
【００１８】
前記端壁２１Ａ，２１Ｂは、前記底壁１１における短辺に連続するもので、大略、前記底壁１１に連続する第１壁部２２と、該第１壁部２２の上端両側に連設した一対の第２壁部２８と、これら第２壁部２８の外端に連設される略凹字形状の第３壁部３０と、前記第１壁部２２と第３壁部３０との間に連設した支持壁部３２とからなる二重壁である。
【００１９】
前記第１壁部２２は、展開状態の側壁１３Ａ，１３Ｂの先端に向けて延びる略逆凸字形状をなし、前記切断線１２の間を除く前記底壁１１との境界部分にはリード罫２３が設けられている。このように構成した第１壁部２２は、側壁１３Ａ，１３Ｂと同様に、前記リード罫２３に沿って折り曲げると、前記切断線１２により囲まれた台形状部分が前記底壁１１より下向きに突出する。そして、この第２突出部２４は、その先端が後述する第３壁部３０の下端と同一高さになるように設定されている。
【００２０】
また、第１壁部２２は、その両側が側壁１３Ａ，１３Ｂより外向きに突出され、その突出部分により前記側壁１３Ａ，１３Ｂの係止部１６を係止する係止受部２５を構成している。この係止受部２５の下端外側は、前記連続部１７と折曲線１９を介して連続されている。また、この係止受部２５と前記係止部１６の先端とは、１つの切断線により区画され、小さな打ち抜き屑が発生しないように構成されている。さらに、第１壁部２２において、略中央部分には長楕円形状に打ち抜かれた係止穴２６が設けられている。この係止穴２６の両端中央には、外向きに延びる切断線２７が設けられている。
【００２１】
前記第２壁部２８は、組立状態において、前記側壁１３Ａ，１３Ｂの上端縁と面一に延びるもので、前記第１壁部２２との境界部分には折曲線２９が設けられている。
【００２２】
前記第３壁部３０は、一対の第２壁部２８を連続させる略凹字形状のもので、その境界部分には折曲線３１が設けられている。この第３壁部３０の下端は、前記底壁１１より下方に突出され、前記底壁１１が外箱１の底から直接干渉されないように構成している。また、この第３壁部３０において、その略凹字形状の底縁３０ａは前記第１壁部２２の係止穴２６と同一高さに形成されている。また、この第３壁部３０の下端両側は、底箱への装着作業性を向上するために面取りされている。
【００２３】
前記支持壁部３２は、該第３壁部３０の底縁３０ａに連設される第１支持部３４と、前記第１壁部２２の上端中央に連続する第２支持部３８とからなる。言い換えれば、前記端壁２１Ａ，２１Ｂにおいて、第２壁部２８と第３壁部３０にかけて延びる一対のスリット３３を設け、これらの間に壁部２８，３０と区画した支持壁部３２を形成している。
【００２４】
前記第１支持部３４は矩形状をなし、前記第３壁部３０との境界部分である底縁３０ａにはリード罫３５が設けられている。この第１支持部３４の先端には、前記第１壁部２２の係止穴２６に挿入係止する係止爪３６が設けられている。具体的には、この係止爪３６は、後述する第２支持部３８に一対に延びる切断線と、略半円形状に延びる切断線とを設けることにより、該第２支持部３８を切り抜いて形成されている。この係止爪３６において、略半円形状をなし、側壁１３Ａ，１３Ｂおよび第１壁部２２に囲繞される内部に突出する部分には、リード罫３７が設けられている。
【００２５】
前記第２支持部３８は矩形状をなし、前記係止爪３６を除く第１支持部３４との境界部分にはリード罫３９が設けられている。また、第２支持部３８において、第１支持部３４との連続端は半円形状に切り抜かれている。さらに、第２支持部３８と第１壁部２２との境界部分には、段ボール紙の肉厚より若干大きい間隔をもって平行に位置するリード罫４０が設けられている。
【００２６】
次に、前記緩衝材１０の使用方法について具体的に説明する。
まず、この緩衝材１０は、図４に示すブランクの状態で希望のメーカーに搬送され、この状態で積み重ねて保管される。
【００２７】
ついで、所定の商品を収容する際には、予め所定数のブランクを図１および図２に示すように組み立てる。そして、この組み立てた緩衝材１０を外箱１に収容し、その内部に所定の商品を収容させて梱包する。
【００２８】
緩衝材１０を組み立てる際には、例えば、図３に示すように、まず、底壁１１に対して側壁１３Ａ，１３Ｂを折り曲げる。そうすると、これら側壁１３Ａ，１３Ｂの折り曲げに引っ張られ、連続部１７によって連続した端壁２１Ａ，２１Ｂが連動して起き上がる。そして、係止受部２５の下端縁が係止部１６の斜部１６ａと干渉し、係止溝部１６ｂの上端近傍に位置する。この状態で、端壁２１Ａ，２１Ｂの第１壁部２２をそれぞれ内向きに押圧することにより、係止部１６と係止受部２５とを係止することができる。
【００２９】
ついで、第１壁部２２に対して第２壁部２８および第２支持部３８を折り曲げた後、第２壁部２８に対して第３壁部３０を折り曲げながら、第３壁部３０に対して第１支持部３４を折り曲げる。そうすると、第１支持部３４の係止爪３６が第１壁部２２の係止穴２６に位置する。そのため、第３壁部３０における第１支持部３４との境界部分近傍を把持して内向きに押圧することにより、係止爪３６を係止穴２６に挿入係止する。
【００３０】
なお、この緩衝材１０の組立方法は作業者の希望に応じて種々の変更が可能である。また、このように組み立てた緩衝材１０において、側壁１３Ａ，１３Ｂおよび端壁２１Ａ，２１Ｂにより囲繞された内部に所定の商品を収容すると、その内部に突出している係止爪３６に商品が干渉することにより、リード罫３７に沿って該係止爪３６が下向きに折り曲げられる。
【００３１】
このように、本実施形態の緩衝材１０は、側壁１３Ａ，１３Ｂの係止部１６および端壁２１Ａ，２１Ｂの係止受部２５とからなるの係止構造を設けるとともに、第１壁部２２の係止穴２６および支持壁部３２の係止爪３６からなる係止構造を設け、作り貯めできるようにしているため、商品の梱包時の作業性を向上することができる。また、その係止構造は、従来のように、端壁を略Ｕ字形状に巻き込むように折り曲げて係止するものではないため、ブランクの面積も大きくはなく、係止構造を設けていない簡易タイプのものと略同一とすることができる。そのため、コスト高になることを防止できる。
【００３２】
また、前記側壁１３Ａ，１３Ｂと端壁２１Ａ，２１Ｂの第１壁部２２とを連続部１７によって連続させているため、組立時には、側壁１３Ａ，１３Ｂを底壁１１に対して折り曲げることにより、端壁２１Ａ，２１Ｂを連動させて起き上げることができるため、組立作業性を向上できる。さらに、前記支持壁部３２は、前記第３壁部３０に連続する第１支持部３４と、前記第１壁部２２の上端中央に連続する第２支持部３８とからなる構成としているため、これらを折り曲げるだけで、第１壁部２２の係止穴２６に第１支持部３４の係止爪３６を位置させることができるため、組立作業性を更に向上することができる。
【００３３】
さらにまた、端壁２１Ａ，２１Ｂの第３壁部３０の下端を底壁１１より下方に突出させているため、側壁１３Ａ，１３Ｂと端壁２１Ａ，２１Ｂとで囲繞された内部に収容した商品に衝撃が直接加わることを確実に防止できる。しかも、側壁１３Ａ，１３Ｂおよび端壁２１Ａ，２１Ｂの第１壁部２２には、第３壁部３０と略同一高さまで突出する突出部１５，２４を設けているため、緩衝材１０の外箱１内に収容した状態での安定性を向上することができる。
【００３４】
【発明の効果】
以上の説明から明らかなように、本発明の紙製緩衝材では、側壁の係止部および端壁の係止受部からなる係止構造を設けるとともに、第１壁部の係止穴および支持壁部の係止爪からなる係止構造を設け、作り貯めできるようにしているため、商品の梱包時の作業性を向上することができる。また、その係止構造は、従来のように、端壁を略Ｕ字形状に巻き込むように折り曲げて係止するものではないため、ブランクの面積も大きくはなく、係止構造を設けていない簡易タイプのものと略同一とすることができる。そのため、コスト高になることを防止できる。
【図面の簡単な説明】
【図１】本発明の緩衝材を示す斜視図である。
【図２】図１の緩衝材を下方から見た状態を示す斜視図である。
【図３】緩衝材の組立工程の１状態を示す斜視図である。
【図４】緩衝材のブランクを示す平面図である。
【符号の説明】
１…外箱                        １０…緩衝材
１１…底壁                      １３Ａ，１３Ｂ…側壁
１５…第１突出部                １６…係止部
１７…連続部                    ２１Ａ，２１Ｂ…端壁
２２…第１壁部                  ２４…第２突出部
２５…係止受部                  ２６…係止穴
２８…第２壁部                  ３０…第３壁部
３０ａ…底縁                    ３２…支持壁部
３４…第１支持部                ３６…係止爪
３８…第２支持部
【図１】
2005008208.tif 000003
【図２】
2005008208.tif 000004
【図３】
2005008208.tif 000005
【図４】
2005008208.tif 000006